(57)【特許請求の範囲】
【請求項１】
歯科診療用の椅子に仰臥する患者の口腔部を上方から照明する照明部を有するヘッド部と、
ポールと、
前記ポールに対して回動可能に連結されるとともに前記ヘッド部の基端に連結される長尺状のアーム部と、
空気浄化装置と、を備え、
前記空気浄化装置は、
前記アーム部に設けられ、吸込口及び前記吸込口よりも前記アーム部の基端側において開口する排出口を有し、前記アーム部の長手方向に沿って延在するダクト部と、
前記ダクト部の内部に設けられ、前記吸込口を通じて外部の空気を前記ダクト部の内部に吸い込むファンと、
前記ダクト部の内部に設けられ、前記吸込口を通じて吸い込んだ空気を浄化する浄化部と、を備え、
前記ダクト部の前記吸込口及び前記排出口が、前記アーム部の先端から基端までの間に位置している、
歯科診療用の空気浄化装置付き照明装置。
【請求項２】
前記浄化部は、前記吸込口を通じて吸い込んだ空気に対して紫外線を照射する照射部を含む、
請求項１に記載の歯科診療用の空気浄化装置付き照明装置。
【請求項３】
前記照射部は、長尺状であり、前記アーム部の長手方向に沿って延在している、
請求項２に記載の歯科診療用の空気浄化装置付き照明装置。
【発明の詳細な説明】
【技術分野】
【０００１】
本発明は、歯科診療用の空気浄化装置付き照明装置に関する。
【背景技術】
【０００２】
特許文献１には、歯科診療用の汚染防止装置が開示されている。
特許文献１の図２に示すように、この汚染防止装置は、治療用の椅子のヘッドレストの外周部位に設けられ、上方に向けて開口する送気口を有する送気管と、送気管の上方において送気口と対応する位置に設けられ、下方に向けて開口する吸気口を有する吸気管とを備えている。送気管の一部の管体は、患者の顎部乃至肩部周辺の上方に設けられている。また、吸気管は、患者の口腔部を含む頭部顔面全体を取り囲んで環状に形成されている。吸気管には、ポンプ装置及びヘパフィルタなどの清浄化装置が接続されている。
【０００３】
こうした装置によれば、吸気管と送気管との間に、上下方向に延びる筒状のエア流が形成される。このため、患者の口腔部と患者の周辺の環境とが上記エア流で遮断される。これにより、患者を治療する際に発生する粉塵、唾液、血液、細菌等の汚染物の飛散が抑制される。
【０００４】
また、吸気管により吸い込まれた空気がヘパフィルタを通過する際に、当該空気に含まれるウイルスなどが捕捉される。そして、ヘパフィルタを通過した後の空気は、診療室外へ排出される。
【先行技術文献】
【特許文献】
【０００５】
【特許文献１】特開平９−１０２４４号公報
【発明の概要】
【発明が解決しようとする課題】
【０００６】
ところで、特許文献１に記載の装置においては、吸気管と送気管との間において患者の口腔部と患者の周辺の環境とを遮断する筒状のエア流が形成される。そのため、患者の頭髪が吸い込まれないように患者にヘッドキャップを被せるなどの対策が別途必要となる。また、診療に際して上記エア流が邪魔になりやすいという問題がある。さらに、上記装置においては、吸気管により吸い込んだ空気を診療室外へ排出する構成であるため、装置全体が大型化しやすいという問題もある。
【０００７】
本発明の目的は、診療の邪魔になりにくく、且つエアタービン等の歯科用治療器具の使用によって主に患者の頭上に巻き散るエアロゾル（患者の口腔内細菌やウイルスを含む汚染物）を効率的に浄化することのできる歯科診療用の空気浄化装置付き照明装置を提供することにある。
【課題を解決するための手段】
【０００８】
上記目的を達成するための歯科診療用の空気浄化装置付き照明装置は、歯科診療用の椅子に仰臥する患者の口腔部を上方から照明する照明部を有するヘッド部と、ポールと、前記ポールに対して回動可能に連結されるとともに前記ヘッド部の基端に連結される長尺状のアーム部と、空気浄化装置と、を備え、前記空気浄化装置は、前記アーム部に設けられ、吸込口及び前記吸込口よりも前記アーム部の基端側において開口する排出口を有し、前記アーム部の長手方向に沿って延在するダクト部と、前記ダクト部の内部に設けられ、前記吸込口を通じて外部の空気を前記ダクト部の内部に吸い込むファンと、前記ダクト部の内部に設けられ、前記吸込口を通じて吸い込んだ空気を浄化する浄化部と、を備え、前記ダクト部の前記吸込口及び前記排出口が、前記アーム部の先端から基端までの間に位置している。
【００１０】
同構成によれば、歯科診療に際して、診療用の椅子に仰臥した患者の口腔部を照明すべく、当該口腔部の上方にヘッド部を位置させたとき、アーム部に設けられたダクト部の吸込口が当該口腔部の近くに位置する。そして、ファンを駆動することにより、エアタービン等の歯科用治療器具の使用によって主に患者の頭上に巻き散るエアロゾル（患者の口腔内細菌やウイルスを含む汚染物）を多く含む空気が、吸込口を通じてダクト部の内部に吸い込まれる。こうして吸い込まれた空気が吸込口から排出口まで移動する間に浄化部によって浄化される。また、浄化された後の空気は、排出口を通じてダクト部の外部に排出される。このように、上記構成によれば、上記エアロゾルを効率的に浄化することができる。
【００１１】
特に、ダクト部の吸込口及び排出口がアーム部の先端から基端までの間に位置するため、ダクト部、ひいては空気浄化装置がコンパクトになる。また、ダクト部がヘッド部よりも患者の口腔部から離れて位置するため、ダクト部が診療の邪魔になりにくい。
【発明の効果】
【００１２】
本発明によれば、診療の邪魔になりにくく、且つエアタービン等の歯科用治療器具の使用によって主に患者の頭上に巻き散るエアロゾル（患者の口腔内細菌やウイルスを含む汚染物）を効率的に浄化することができる。
【図面の簡単な説明】
【００１３】
【図１】一実施形態における歯科診療用の椅子、及び空気浄化装置付き照明装置を示す側面図。
【図２】同実施形態の空気浄化装置を中心に示す斜視図。
【図３】同実施形態の空気浄化装置及びアーム部を一部破断して示す側面図。
【図４】図３の４−４線に沿った断面図。
【図５】図３の５−５線に沿った断面図。
【図６】図３の６−６線に沿った断面図。
【発明を実施するための形態】
【００１４】
以下、図１〜図６を参照して、歯科診療用の空気浄化装置付き照明装置を具体化した一実施形態について説明する。
図１に示すように、歯科診療用の椅子１０は、図示しない支持台に支持された座部１１と、座部１１に対してリクライニング可能に連結された背もたれ部１２とを備えている。背もたれ部１２には、ヘッドレスト１３が連結されている。座部１１には、オットマン１４と、肘掛け部１５とが連結されている。
【００１５】
座部１１の側方には、洗口台１６及び給水ボックス１７が配置されている。
椅子１０の側方には、照明装置２０が配置されている。
図１及び図２に示すように、照明装置２０は、給水ボックス１７から上方に向かって延びるポール２１を備えている。
【００１６】
ポール２１は、上下方向に沿って延在する垂直部２１ａ、垂直部２１ａの上端において屈曲して延在する延在部２１ｂを有している。
延在部２１ｂの先端には、ジョイント部２２の基端が、上下方向に延びる軸線Ｘ１を中心に回動可能に連結されている。
【００１７】
ジョイント部２２の先端には、長尺状のアーム部２３の基端が、軸線Ｘ１に直交する軸線Ｘ２を中心に回動可能に連結されている。
アーム部２３の先端には、ヘッド部２４の基端が、軸線Ｘ２と平行な軸線Ｘ３を中心に回動可能に連結されている。
【００１８】
ヘッド部２４は、フォーク部２５、照明部２６、及び一対のハンドル２７によって構成されている。
フォーク部２５の基端は、アーム部２３の先端に回動可能に連結されている。
【００１９】
フォーク部２５は、先端側において二股に分岐した形状を有している。フォーク部２５の一対の先端には、椅子１０に仰臥する患者Ｃの口腔部を上方から照明する環状の照明部２６が、軸線Ｘ２と平行な軸線Ｘ４を中心に回動可能に連結されている。
【００２０】
照明部２６には、照明部２６の照明方向を調節するための一対のハンドル２７が連結されている。
なお、フォーク部２５、アーム部２３、ジョイント部２２、及びポール２１の内部には、照明部２６に対して給電を行うための電線（図示略）が収容されている。
【００２１】
照明装置２０は、空気浄化装置３０を備えている。
図２〜図６に示すように、空気浄化装置３０は、アーム部２３に設けられ、アーム部２３の長手方向（図３の左右方向）に沿って延在するダクト部３１を有している。
【００２２】
ダクト部３１は、アーム部２３の下部に連なって形成されている。本実施形態では、ダクト部３１及びアーム部２３が、互いに連通する内部空間を有しており、一体に形成されている。
【００２３】
ダクト部３１は、吸込口３２と、吸込口３２よりもアーム部２３の基端側において開口する排出口３３とを有している。
吸込口３２は、アーム部２３の先端側（図３の左側）に向かって開口している。
【００２４】
排出口３３は、アーム部２３の基端側（図３の右側）に向かって開口している。
吸込口３２及び排出口３３は共に、正面視横長の略四角形状である。ただし、吸込口３２の幅寸法及び上下寸法は、排出口３３の幅寸法及び上下寸法よりもそれぞれ大きい。すなわち、ダクト部３１の一対の側壁３１ａ同士の間隔は、吸込口３２から排出口３３に向かって徐々に小さくなる。また、一対の側壁３１ａの上下寸法は、吸込口３２から排出口３３に向かって徐々に小さくなる。
【００２５】
ダクト部３１の内部には、吸込口３２を通じて外部の空気をダクト部３１の内部に吸い込む電動式の一対のファン４０が設けられている。
一対のファン４０は、ダクト部３１の幅方向（図４の上下方向）において隣り合って配置されている。
【００２６】
ダクト部３１の内部において、上記一対のファン４０の下流側には、吸込口３２を通じて吸い込んだ空気を浄化する浄化部が設けられている。
浄化部は、吸込口３２を通じて吸い込んだ空気に対して紫外線を照射する照射部としての３本の紫外線ランプ５０ａ〜５０ｃにより構成されている。
【００２７】
紫外線ランプ５０ａ〜５０ｃは、いずれも長尺状であり、アーム部２３の長手方向に沿って延在している。
紫外線ランプ５０ａは、ダクト部３１の幅方向の中央に設けられている。
【００２８】
紫外線ランプ５０ｂ，５０ｃは、幅方向の一端側及び他端側にそれぞれ設けられている。
紫外線ランプ５０ａ〜５０ｃは、殺菌力の高い２５３．７ｎｍ付近の領域、所謂ＵＶ−Ｃ領域の波長の紫外線を照射する。
【００２９】
図２〜図４に示すように、ダクト部３１の内部において、紫外線ランプ５０ａ〜５０ｃと吸込口３２との間には、紫外線ランプ５０ａ〜５０ｃから照射される紫外線が吸込口３２から外部に漏出することを遮るための複数枚の上流側遮光板３４が設けられている。
【００３０】
複数の上流側遮光板３４は、ダクト部３１の幅方向に沿って延在するとともに、ダクト部３１の厚さ方向において互いに間隔をおいて設けられている。各上流側遮光板３４は、アーム部２３の長手方向において吸込口３２に近づくほど、アーム部２３に近づくように傾斜している（図２及び図３参照）。なお、各上流側遮光板３４は、例えば紫外線を吸収するガラスまたは樹脂により形成されていることが好ましい。具体的には、こうしたガラスまたは樹脂としては、紫外線を吸収する吸収剤がガラス本体または樹脂本体に練り込まれているものであってもよいし、吸収剤を含有する塗膜がガラス本体または樹脂本体の表面に形成されているものであってもよい。
【００３１】
図３及び図４に示すように、ダクト部３１の内部において、紫外線ランプ５０ａ〜５０ｃと排出口３３との間には、紫外線ランプ５０ａ〜５０ｃから照射される紫外線が排出口３３から外部に漏出することを遮るための複数枚の下流側遮光板３５が設けられている。
【００３２】
複数の下流側遮光板３５は、ダクト部３１の幅方向に沿って延在するとともに、ダクト部３１の厚さ方向において互いに間隔をおいて設けられている。各下流側遮光板３５は、アーム部２３の長手方向において排出口３３に近づくほど、アーム部２３に近づくように傾斜している（図３参照）。なお、各下流側遮光板３５は、上流側遮光板３４と同様にして、例えば紫外線を吸収するガラスまたは樹脂により形成されていることが好ましい。
【００３３】
なお、アーム部２３、ジョイント部２２、及びポール２１の内部には、ファン４０及び紫外線ランプ５０ａ〜５０ｃに対して給電を行うための電線（図示略）が収容されている。
【００３４】
次に、本実施形態の作用について説明する。
歯科診療に際して、診療用の椅子１０に仰臥した患者Ｃの口腔部を照明すべく、当該口腔部の上方にヘッド部２４を位置させたとき、アーム部２３に設けられたダクト部３１の吸込口３２が当該口腔部の近くに位置する。そして、図示しないスイッチをオン操作してファン４０を駆動することにより、エアタービン等の歯科用治療器具の使用によって主に患者Ｃの頭上に巻き散るエアロゾル（患者Ｃの口腔内細菌やウイルスを含む汚染物）を多く含む空気が、吸込口３２を通じてダクト部３１の内部に吸い込まれる。こうして吸い込まれた空気が吸込口３２から排出口３３まで移動する間に浄化部を構成する紫外線ランプ５０ａ〜５０ｃから照射される紫外線によって浄化される。すなわち、上記空気に含まれるウイルスなどが紫外線によって殺菌されることで当該空気が浄化される。また、浄化された後の空気は、排出口３３を通じてダクト部３１の外部に排出される（以上、作用１）。
【００３５】
特に、ダクト部３１の吸込口３２及び排出口３３がアーム部２３の先端から基端までの間に位置するため、ダクト部３１、ひいては空気浄化装置３０がコンパクトになる。また、ダクト部３１がヘッド部２４よりも患者Ｃの口腔部から離れて位置するため、ダクト部３１が診療の邪魔になりにくい（以上、作用２）。
【００３６】
次に、本実施形態の効果について説明する。
（１）空気浄化装置３０は、アーム部２３に設けられたダクト部３１と、ファン４０と、浄化部とを備えている。
【００３７】
こうした構成によれば、上記作用１を奏することから、上記エアロゾルを効率的に浄化することができる。また、上記作用２を奏することができる。したがって、診療の邪魔になりにくく、且つ上記エアロゾルを効率的に浄化することができる。
【００３８】
（２）吸込口３２は、アーム部２３の先端側に向かって開口している。
こうした構成によれば、ヘッド部２４を患者Ｃに近づけた状態において、吸込口３２が患者Ｃの口腔部により近づくことから、上記エアロゾルを多く含む空気を、吸込口３２を通じてダクト部３１内に効果的に吸い込むことができる。
【００３９】
（３）排出口３３は、アーム部２３の基端側に向かって開口している。
こうした構成によれば、排出口３３を通じて排出される空気を患者Ｃや診療従事者から遠ざけることができる。
【００４０】
（４）浄化部は、吸込口３２を通じて吸い込んだ空気に対して紫外線を照射する照射部としての紫外線ランプ５０ａ〜５０ｃを含む。
こうした構成によれば、紫外線ランプ５０ａ〜５０ｃから照射される紫外線によってダクト部３１の内部を流れる空気に含まれるウイルスなどを効果的に殺菌することができる。
【００４１】
また、上記構成によれば、浄化部としてアルコールやヘパフィルタを採用する場合と比べて、浄化部を交換する頻度を減らすことができる。
（５）紫外線ランプ５０ａ〜５０ｃは、長尺状であり、アーム部２３の長手方向に沿って延在している。
【００４２】
こうした構成によれば、紫外線ランプ５０ａ〜５０ｃを収容するためにダクト部３１を大型化しなくて済む。このため、診療室のスペースが犠牲になることを抑制できる。
＜変更例＞
上記実施形態は、例えば以下のように変更して実施することもできる。本実施形態及び以下の変更例は、技術的に矛盾しない範囲で互いに組み合わせて実施することができる。
【００４３】
・上流側遮光板３４をファン４０と紫外線ランプ５０ａ〜５０ｃとの間に配置することもできる。
・紫外線ランプ５０ａ〜５０ｃよりも下流側にファン４０を配置してもよい。
【００４４】
・照射部を構成する紫外線ランプの本数を適宜変更することができる。
・照射部は、長尺状の紫外線ランプにより構成されるものに限定されない。他に例えば、複数の照射部を、アーム部２３の長手方向において並設するようにしてもよい。
【００４５】
・浄化部は、紫外線を照射する照射部に限定されない。他に例えば、アルコールやオゾンガスなどを利用するものであってもよい。この場合であっても、ウイルスを殺菌することができる。
【００４６】
・吸込口３２がダクト部３１の側面に開口するものであってもよい。
・排出口３３がダクト部３１の側面に開口するものであってもよい。
・ダクト部３１をアーム部２３とは別体にて構成することもできる。この場合、アーム部２３の下面に対してダクト部３１を取り付ければよい。
【００４７】
・ポール２１は、給水ボックス１７に連結されているものに限定されない。他に例えば、給水ボックス１７とは別体の移動式架台に連結されているものであってもよい。また、天井に連結され、下方に向かって延在するものであってもよい。
【符号の説明】
【００４８】
１０…椅子
１１…座部
１２…背もたれ部
１３…ヘッドレスト
１４…オットマン
１５…肘掛け部
１６…洗口台
１７…給水ボックス
２０…照明装置
２１…ポール
２１ａ…垂直部
２１ｂ…水平部
２２…ジョイント部
２３…アーム部
２４…ヘッド部
２５…フォーク部
２６…照明部
２７…ハンドル
３０…空気浄化装置
３１…ダクト部
３１ａ…側壁
３２…吸込口
３３…排出口
３４…上流側遮光板
３５…下流側遮光板
４０…ファン
５０ａ〜５０ｃ…紫外線ランプ（浄化部、照射部）
Ｘ１，Ｘ２，Ｘ３，Ｘ４…軸線
【要約】      （修正有）【課題】診療の邪魔になりにくく、且つエアタービン等の歯科用治療器具の使用によって主に患者の頭上に巻き散るエアロゾル（患者の口腔内細菌やウイルスを含む汚染物）を効率的に浄化する空気浄化装置を提供する。【解決手段】歯科診療用の空気浄化装置３０付き照明装置２０は、歯科診療用の椅子に仰臥する患者の口腔部を上方から照明する照明部２６を有するヘッド部２４と、ヘッド部２４の基端に連結される長尺状のアーム部２３と、空気浄化装置３０とを備える。空気浄化装置３０は、アーム部２３に設けられ、吸込口３２及び吸込口３２よりもアーム部２３の基端側において開口する排出口３３を有し、アーム部２３の長手方向に沿って延在するダクト部３１と、ダクト部３１の内部に設けられ、吸込口３２を通じて外部の空気をダクト部３１の内部に吸い込むファンと、ダクト部３１の内部に設けられ、吸込口３２を通じて吸い込んだ空気を浄化する浄化部とを備える。【選択図】図２【図１】
0006832032.tif 000002
【図２】
0006832032.tif 000003
【図３】
0006832032.tif 000004
【図４】
0006832032.tif 000005
【図５】
0006832032.tif 000006
【図６】
0006832032.tif 000007